(57)【要約】【課題】発光体からの光を確実に照射することで、通行人等が発光体からの光で形成される標示を確実に認識することができる情報標示体を提供する。【解決手段】内部に収納部６を有する情報標示本体２と、前記収納部６に収納される発光体７と、該発光体７に電力を供給する太陽電池５とを備え、前記情報標示本体２には、前記収納部６に収納した発光体７からの光を外部へ照射するための窓部２３１が形成されており、該窓部２３１には、透光性を有する窓板２４が設けられており、該窓板２４は、着色されていることを特徴とする。  【選択図】図２
2009084967.tif 000002
【特許請求の範囲】
【請求項１】
内部に収納部を有する情報標示本体と、前記収納部に収納される発光体と、該発光体に電力を供給する太陽電池とを備え、前記情報標示本体には、前記収納部に収納した発光体からの光を外部へ照射するための窓部が形成されており、該窓部には、透光性を有する窓板が設けられており、該窓板は、着色されていることを特徴とする情報標示体。
【発明の詳細な説明】
【技術分野】
【０００１】
本発明は、例えば視線誘導等の道路標示を発光体からの光によって標示する情報標示体に関する。
【背景技術】
【０００２】
従来、この種情報標示体としては、内部に収納部を有する情報標示本体と、前記収納部に収納される発光体と、該発光体に電力を供給する太陽電池とを備え、前記情報標示本体には、前記収納部に収納した発光体からの光を外部へ照射するための窓部が形成され、該窓部には、透光性を有する窓板が設けられたものが知られている。
【０００３】
かかる情報標示体は、太陽電池にて生成される電力を利用して発光体を光らせることにより標示すべき文字や図柄等を形成するものであり、通行人等は、かかる発光体からの光を認識することで標示を認識する。
【発明の開示】
【発明が解決しようとする課題】
【０００４】
しかしながら、上記従来の情報標示体にあっては、発光体からの光を外部へ照射するための窓部に設けられている窓板が無色透明であるので、太陽光等の外部光が窓板で強く反射し、また、外部光が窓板を透過した透過光が発光体で強く反射し、更に、前記透過光が収納部内の窓板と発光体との間で乱反射することがある。そうすると、太陽電池からの比較的弱い電力を利用して発せられる発光体からの光は、窓板や発光体で反射したり収納部内の窓板と発光体との間で乱反射したりする光によって掻き消されて見えなくなってしまい、その結果、通行人等が発光体からの光によって形成される標示を認識することができなくなってしまう。
【０００５】
そこで、本発明は、上記実情に鑑みてなされ、発光体からの光を確実に照射することで、通行人等が発光体からの光で形成される標示を確実に認識することができる情報標示体を提供することを課題とする。
【課題を解決するための手段】
【０００６】
本発明は、上記課題を解決すべくなされたものであり、本発明に係る情報標示体は、内部に収納部を有する情報標示本体と、前記収納部に収納される発光体と、該発光体に電力を供給する太陽電池とを備え、前記情報標示本体には、前記収納部に収納した発光体からの光を外部へ照射するための窓部が形成されており、該窓部には、透光性を有する窓板が設けられており、該窓板は、着色されていることを特徴とする。
【０００７】
該構成の情報標示体にあっては、透光性を有する窓板が着色されているので、太陽光等の外部光の窓板での反射を抑制することができ、また、着色によって窓板の透過率が低くなっており外部光の窓板の透過を抑制することができるので、外部光が窓板を透過した透過光の発光体での反射や窓板と発光体との間での乱反射を抑制することができる。従って、太陽電池からの電力を利用して発せられる発光体からの光は、前記反射や乱反射する光によって掻き消されることなく外部へ確実に照射される。
【発明の効果】
【０００８】
このように、本発明に係る情報標示体にあっては、透光性を有する窓板が着色されているので、外部光の窓板での反射を抑制することができ、また、外部光の窓板の透過を抑制して発光体での反射や窓板と発光体との間での乱反射を抑制することができる結果、太陽電池からの電力を利用して発せられる発光体からの光が掻き消されることなく外部へ確実に照射され、従って、通行人等が発光体からの光によって形成される標示を確実に認識することができるという効果を奏する。
【発明を実施するための最良の形態】
【０００９】
以下、本発明に係る情報標示体の一実施形態について、図面を参照しつつ詳細に説明する。
図１（Ａ）及び（Ｂ）に、本実施形態における情報標示体１が示されている。該情報標示体１は、例えば通行人等に対し道路交通情報や注意喚起等の様々な標示をすべく、道路に立設された支柱Ｐに取り付けられるものである。
【００１０】
この情報標示体１は、内部に収納部６を有する情報標示本体２と、該情報標示本体２の収納部６に収納可能に構成され発光体７を備える発光ユニット３と、発光体７の点灯を制御する制御部４と、発光体７に電力を供給する太陽電池５とを備える。
【００１１】
情報標示本体２は、前面が開口し後面が閉塞した本体部２１と、該本体部２１の開口を開閉する蓋部２２とを備える。本体部２１は、例えばアルミニウム合金で構成されており、後面側が支柱Ｐに取付可能に構成されている。
【００１２】
蓋部２２は、前面２２ａが閉塞し後面２２ｂが開口しており、具体的には、内側領域が発光体７からの光を外部へ照射するための窓部２３１となる枠体２３と、該枠体２３の前面側を閉塞する窓板２４とを備えてなる。蓋部２２は、枠体２３が本体部２１にヒンジを介して回動可能に取り付けられており、該ヒンジを中心に回動することによって本体部２１の前面開口を開閉する。尚、本体部２１と蓋部２２とで囲まれる領域（即ち、情報標示本体２の内部）が収納部６となっている。また、蓋部２２の縦及び横の長さは、本体部２１の縦及び横の長さよりも若干大きくなっている。
【００１３】
前記枠体２３は、例えばアルミニウム合金にて矩形状に構成され、かかる枠体２３によって囲まれる領域が、前記窓部２３１となるように構成されている。窓板２４は、透光性を有する有色透明板であり、光の反射防止機能と高解像性とを備える。具体的には、窓板２４は、例えば合成樹脂板に着色を施すことによってその透過率を所定値に設定されている。本実施形態では、窓板２４は、ポリカーボネイト板にブラウンスモークを施してなる。因みに、例えば、無色透明のポリカーボネイト板の透過率は８９．３％である一方で、ブラウンスモークを施したポリカーボネイト板の透過率は６０．６％である。また、窓板２４は、前記窓部２３１全体を閉塞するように構成されている、即ち、窓板２４は、枠体２３の内側形状に対応した形状となっている。
【００１４】
発光ユニット３は、図２に示すように、一方の面３１ａに発光体７が複数実装され他方の面３１ｂにコネクタ８を構成する凹部材８１が実装された発光基板３１と、一方の面３２ａに前記発光体７の点灯を制御するための電子部品（図示しない）が実装され他方の面３２ｂに前記凹部材８１との間で電気通信的且つ機械的接続をなすための凸部材８２が実装された制御基板３２とを備える。発光ユニット３は、発光基板３１と制御基板３２とが各々の他方の面同士３１ｂ，３２ｂを対向させ、コネクタ８である凹部材８１と凸部材８２とを接続して電気的且つ機械的に接続されるように構成されている。尚、発光基板３１に凸部材８２を実装し、制御基板３２に凹部材８１を実装してもよい。
【００１５】
かかる発光ユニット３は、情報標示本体２の収納部６に収納可能に構成されており、本実施形態では、蓋部２２の枠体２３の内側に取り付けられるように構成されている。詳細には、発光ユニット３は、前記窓板２４との間に所定の隙間を形成した状態で枠体２３の内側に取り付けられ、蓋部２２の回動に伴って回動する。発光ユニット３は、枠体２３で囲まれる領域に対応した大きさとなっており、前記領域全体に亘るように枠体２３の内側に取り付けられる。
【００１６】
発光体７は、ＬＥＤ７であり、その照射方向が発光基板３１の一方の面３１ａに対して垂直且つ外向きとなるように、当該一方の面３１ａにはんだ実装されている。ここで、本実施形態における情報標示体１は、多色発光の情報標示体１であるため、ＬＥＤ７は、複数個用意されており、且つ、複数の発光色のものが用意されている。尚、ＬＥＤ７の個数、発光色、及び配置は、必要に応じて適宜決定することができる。尚、以下の表１にＬＥＤ７の輝度を発光色毎に例示する。
【表１】
2009084967.tif 000003
【００１７】
尚、ＬＥＤ７、凹部材８１、凸部材８２、及び電子部品の実装に際してのはんだ作業は、手はんだにて行うこともできるが、はんだ付け用の機械によって自動で行う方が高効率で好ましい。また、ＬＥＤ７及び凹部材８１が実装された発光基板３１と、電子部品及び凸部材８２が実装された制御基板３２とは、各々全体が所謂防湿コーティング処理される。
【００１８】
制御部４は、ＬＥＤ７の点灯を制御するものであり、点灯を制御するためのプログラムの設定や選択等を行うコントローラ４１と、前記太陽電池５にて生成された電力を蓄えるための蓄電池４２とを備える。この制御部４は、情報標示本体２の後面側に対向するように前記支柱Ｐに取り付けられており、発光ユニット３に電気通信的に接続されている。具体的には、制御部４は、前記制御基板３２の一方の面３２ａ側に実装されている電子部品に電気通信的に接続され、これによりＬＥＤ７に電力や信号等を供給することができる。尚、蓄電池４２としては、例えば鉛蓄電池を用いることができる。
【００１９】
太陽電池５は、太陽光を利用して電力を生成するもので、前記制御部４の蓄電池４２を介してＬＥＤ７に電力を供給するように構成されている。
【００２０】
以上の構成の情報標示体１にあっては、窓板２４がブラウンスモークを施したポリカーボネイト板であるので、太陽光等の外部光の窓板２４での反射を抑制することができ、また、外部光の窓板２４の透過を抑制して外部光が窓板２４を透過した透過光Ｌ３の発光体７での反射や窓板２４とＬＥＤ７との間の隙間での乱反射を抑制することができる。
【００２１】
図２を参酌してより詳細に説明すると、窓板２４はブラウンスモークが施されて反射防止機能を有するので、窓板２４に照射される外部光Ｌ１は、その一部が窓板２４に吸収され弱められて反射する。即ち、外部光Ｌ１の窓板２４での反射は抑制され、その反射光Ｌ２は弱くなる。
【００２２】
また、窓板２４の透過率は、ブラウンスモークによって無色透明の場合に比して低減されているので、窓板２４に照射される外部光Ｌ１が窓板２４を透過する量は低減される。即ち、外部光Ｌ１の窓板２４の透過は抑制され、その透過光Ｌ３は弱くなる。そうすると、当該透過光Ｌ３がＬＥＤ７にて反射した反射光Ｌ４は弱いものとなり、また、当該透過光Ｌ３が窓板２４とＬＥＤ７との間の隙間で乱反射した乱反射光Ｌ５も弱くなる。
【００２３】
このように、外部光Ｌ１の窓板２４での反射光Ｌ２とＬＥＤ７での反射光Ｌ４と窓板２４及びＬＥＤ７の間の隙間の乱反射光Ｌ５とが弱いものとなるため、太陽電池５からの比較的弱い電力を利用して発せられるＬＥＤ７からの光ＬＬは、当該反射光Ｌ２，Ｌ４や乱反射光Ｌ５によって掻き消されることなく外部へ確実に照射される。故に、通行人等は、ＬＥＤ７からの光ＬＬによって形成される標示を確実に認識することができる。
【００２４】
また、窓板２４に施しているのはブラウンスモークであるので、種々の色を呈する複数のＬＥＤ７の光は何れも、適度に窓板２４を透過して視認可能であり、鮮明に標示を認識できる。
【００２５】
尚、本実施形態では、窓板２４がブラウンスモークを施したポリカーボネイト板であり、その透過率が６０．６％である場合について説明したが、これに限らず、例えばグレースモークを施したポリカーボネイト板であって、その透過率が５５．１％である場合であってもよい。但し、グレースモークを施したポリカーボネイト板であると、所定波長の光（例えば５００ｎｍ乃至７００ｎｍの波長の光）に対する透過率が特に低く、ＬＥＤ７から発せられる光のうち当該所定波長の光が極めて視認し難くなり、情報標示体１にて標示される情報を認識するのが困難となる虞がある。一方で、ブラウンスモークを施したポリカーボネイト板であると、かかる虞なく確実にＬＥＤ７からの光を認識することができるという利点がある。
【００２６】
また、本実施形態においては、情報標示本体２が本体部２１に蓋部２２を回動可能に取り付けることによって構成される場合について説明したが、これに限らず、蓋部２２を、本体部２１の前面開口を閉塞するように本体部２１に取付固定する場合であってもよい。
【図面の簡単な説明】
【００２７】
【図１】本発明に係る情報標示体の一実施形態を示す図であり、（Ａ）は正面図であり、（Ｂ）は側面図。
【図２】同情報標示体の要部を示す拡大断面図。
【符号の説明】
【００２８】
１…情報標示体、２…情報標示本体、３…発光ユニット、４…制御部、５…太陽電池、６…収納部、７…発光体（ＬＥＤ）、８…コネクタ、２１…本体部、２２…蓋部、２２ａ…蓋部の前面、２２ｂ…蓋部の後面、２３…枠体、２４…窓板、３１…発光基板、３１ａ…発光基板の一方の面、３１ｂ…発光基板の他方の面、３２…制御基板、３２ａ…制御基板の一方の面、３２ｂ…制御基板の他方の面、４１…コントローラ、４２…蓄電池、８１…凹部材、８２…凸部材、２３１…窓部、Ｌ１…外部光、Ｌ２，Ｌ４…反射光、Ｌ３…透過光、Ｌ５…乱反射光、ＬＬ…発光体（ＬＥＤ）から発せられる光、Ｐ…支柱
【図１】
2009084967.tif 000004
【図２】
2009084967.tif 000005